【手続補正書】
【提出日】平成19年4月27日(2007.4.27)
【手続補正１】
【補正対象書類名】明細書
【補正対象項目名】特許請求の範囲
【補正方法】変更
【補正の内容】
【特許請求の範囲】
【請求項１】  物体側より順に、正の屈折力の第１群、負の屈折力の第２群、開口絞り、変倍に際して常時固定の正の屈折力の第3群、正の屈折力の第４群、そして負の屈折力の第5群より構成され、広角端から望遠端へ変倍の際、該第１群と該第２群の間隔を広げながら、第２群が像面側に移動し、該開口絞りが移動することを特徴とするズームレンズ。
【請求項２】  広角端から望遠端へ変倍の際、前記第1群は物体側に移動することを特徴とする請求項1記載のズームレンズ。
【請求項３】  変倍に伴う像面変動を前記第4群を移動させて補正すると共に該第4群を移動させてフォーカスを行なうことを特徴とする請求項1又は2記載のズームレンズ。
【請求項４】  前記第４群は、変倍に際して物体側に凸状の軌跡で移動することを特徴とする請求項３記載のズームレンズ。
【請求項５】  前記開口絞りは、広角端から望遠端への変倍の際、像面側に移動することを特徴とする請求項１から４のいずれか1項記載のズームレンズ。
【請求項６】  前記開口絞りは、広角端から望遠端への変倍の際、変倍範囲の中間位置から望遠端にかけて像面側に移動することを特徴とする請求項１から４のいずれか1項記載のズームレンズ。
【請求項７】  前記開口絞りは、広角端から望遠端への変倍の際、変倍範囲の中間位置で最も物体側に位置するような軌跡で移動することを特徴とする請求項１から４のいずれか1項記載のズームレンズ。
【請求項８】  前記第3群に対して前記開口絞りが光軸上最も離れる変倍位置と望遠端における前記第2群と該開口絞りの間隔を各々Ｌ２ｓ、Ｌ２ｔ、該変倍位置と望遠端における該開口絞りと前記第3群の間隔を各々Ｌｓ３、Ｌ３ｔとするとき、
０．４＜（Ｌ２ｓ−Ｌ２ｔ）／（Ｌｓ３−Ｌ３ｔ）＜１．３
を満足する該開口絞りの位置が存在することを特徴とする請求項５から７のいずれか1項記載のズームレンズ。
【請求項９】  広角端と望遠端における全系の焦点距離をｆｗ、ｆｔ、前記第2群の焦点距離をｆ２とし、
【数１】
2001318315.tif 000001
とするとき
０．１９＜｜ｆ２／ｆＡ｜＜０．３０
なる条件式を満足することを特徴とする請求項１から８のいずれか1項記載のズームレンズ。
【請求項１０】  広角端で無限遠物体の合焦状態において最終レンズ面から像面までの距離を空気に換算し、物体側の第1レンズ面から近軸像面までの距離をＬ、広角端と望遠端における全系の焦点距離をｆｗ、ｆｔとし、
【数２】
2001318315.tif 000002
とするとき
２．２２＜Ｌ／ｆＡ＜３．３６
なる条件式を満足することを特徴とする請求項１から８のいずれか1項記載のズームレンズ。
【請求項１１】  広角端から望遠端への変倍における前記第1群と第2群の移動量をＳ１、Ｓ２とするとき、
０．６＜Ｓ１／Ｓ２＜１．２
なる条件式を満足することを特徴とする請求項１から１０のいずれか1項記載のズームレンズ。
【請求項１２】  前記第5群は、変倍に際し常時固定であることを特徴とする請求項１記載のズームレンズ。
【請求項１３】  前記第3群を光軸方向にほぼ垂直に移動させて、前記ズームレンズが振動したときの被写体象の像面位置を補正することを特徴とする請求項１から１２のいずれか1項記載のズームレンズ。
【請求項１４】  物体側より順に、正の屈折力の第１群、負の屈折力の第２群、開口絞り、正の屈折力の第3群、正の屈折力の第４群、そして負の屈折力の第5群より構成され、広角端から望遠端への変倍に際して、該第1群を物体側へ該第2群を像面側へ移動させ、変倍に伴う像面変動を該第4群を移動させて補正しており、フォーカスは該第4群を移動させて行ない、該3群に対して該開口絞りが光軸上最も離れる変倍位置と望遠端における第2群と該開口絞りの間隔を各々Ｌ２ｓ、Ｌ２ｔ、該変倍位置と望遠端における該開口絞りと第3群の間隔を各々Ｌｓ3、Ｌ３ｔ、広角端及び望遠端における全系の焦点距離をｆｗ、ｆｔ、第2群の焦点距離をｆ２、広角端で無限遠物体の合焦状態において最終レンズ面から像面までの距離を空気に換算し、物体側の第1レンズ面から近軸像面までの距離をＬ、変倍における該第1群と第2群の移動量をＳ１、Ｓ２、
【数３】
2001318315.tif 000003
としたとき
０．４＜（Ｌ２ｓ−Ｌ２ｔ）／（Ｌｓ３−Ｌ３ｔ）＜１．３
０．１９＜｜ｆ２／ｆＡ｜＜０．３０
２．２２＜Ｌ／ｆＡ＜３．３６
０．６＜Ｓ１／Ｓ２＜１．２
なる条件式を満足することを特徴とするズームレンズ。
【請求項１５】  前記第２群は物体側に凸面を向けたメニスカス状の負レンズ、両レンズ面が凹面の負レンズ、両レンズ面が凸面の正レンズと負レンズとを接合した接合レンズより成り、
第２群中の正レンズと負レンズの材質のアッベ数の平均値を各々
νｐ，νｎ
第２群中の負レンズの材質の屈折率の平均値をＮｎとするとき
２０＜νｐ＜３５
３６＜νｎ＜６５
１．８＜Ｎｎ＜１．９６
を満足することを特徴とする請求項１４のズームレンズ。
【請求項１６】  第２群の物体側から第ｉ番目のレンズ面の曲率半径をＲ２ｉとしたとき
０．６＜｜Ｒ２２／Ｒ２３｜＜０．８２
を満足することを特徴とする請求項１５のズームレンズ。
【請求項１７】  請求項１から１６のいずれか1項記載のズームレンズを有することを特徴とする光学機器。
【手続補正２】
【補正対象書類名】明細書
【補正対象項目名】００１２
【補正方法】変更
【補正の内容】
【００１２】
【課題を解決するための手段】
請求項１の発明のズームレンズは、物体側より順に、正の屈折力の第１群、負の屈折力の第２群、開口絞り、変倍に際して常時固定の正の屈折力の第3群、正の屈折力の第４群、そして負の屈折力の第5群より構成され、広角端から望遠端へ変倍の際、該第１群と該第２群の間隔を広げながら、第２群が像面側に移動し、該開口絞りが移動することを特徴としている。
【手続補正３】
【補正対象書類名】明細書
【補正対象項目名】００１３
【補正方法】変更
【補正の内容】
【００１３】
請求項２の発明は請求項１の発明において、広角端から望遠端へ変倍の際、前記第1群は物体側に移動することを特徴としている。
【手続補正４】
【補正対象書類名】明細書
【補正対象項目名】００１４
【補正方法】変更
【補正の内容】
【００１４】
請求項３の発明は請求項１又は２の発明において、変倍に伴う像面変動を前記第4群を移動させて補正すると共に該第4群を移動させてフォーカスを行なうことを特徴としている。
【手続補正５】
【補正対象書類名】明細書
【補正対象項目名】００１５
【補正方法】変更
【補正の内容】
【００１５】
請求項４の発明は請求項３の発明において、前記第４群は、変倍に際して物体側に凸状の軌跡で移動することを特徴としている。
【手続補正６】
【補正対象書類名】明細書
【補正対象項目名】００１６
【補正方法】変更
【補正の内容】
【００１６】
請求項５の発明は請求項１から４のいずれか１項の発明において、前記開口絞りは、広角端から望遠端への変倍の際、像面側に移動することを特徴としている。
【手続補正７】
【補正対象書類名】明細書
【補正対象項目名】００１７
【補正方法】変更
【補正の内容】
【００１７】
請求項６の発明は請求項１から４のいずれか１項の発明において、前記開口絞りは、広角端から望遠端への変倍の際、変倍範囲の中間位置から望遠端にかけて像面側に移動することを特徴としている。
【手続補正８】
【補正対象書類名】明細書
【補正対象項目名】００１８
【補正方法】変更
【補正の内容】
【００１８】
請求項７の発明は請求項１から４のいずれか１項の発明において、前記開口絞りは、広角端から望遠端への変倍の際、変倍範囲の中間位置で最も物体側に位置するような軌跡で移動することを特徴としている。
【手続補正９】
【補正対象書類名】明細書
【補正対象項目名】００１９
【補正方法】変更
【補正の内容】
【００１９】
請求項８の発明は請求項５から７のいずれか１項の発明において、前記第3群に対して前記開口絞りが光軸上最も離れる変倍位置と望遠端における前記第2群と該開口絞りの間隔を各々Ｌ２ｓ、Ｌ２ｔ、該変倍位置と望遠端における該開口絞りと前記第3群の間隔を各々Ｌｓ３、Ｌ３ｔとするとき、
０．４＜（Ｌ２ｓ−Ｌ２ｔ）／（Ｌｓ３−Ｌ３ｔ）＜１．３
を満足する該開口絞りの位置が存在することを特徴としている。
【手続補正１０】
【補正対象書類名】明細書
【補正対象項目名】００２０
【補正方法】変更
【補正の内容】
【００２０】
請求項９の発明は請求項１から８のいずれか１項の発明において、広角端と望遠端における全系の焦点距離をｆｗ、ｆｔ、前記第2群の焦点距離をｆ２とし、
【数４】
2001318315.tif 000004
とするとき
０．１９＜｜ｆ２／ｆＡ｜＜０．３０
なる条件式を満足することを特徴としている。
【手続補正１１】
【補正対象書類名】明細書
【補正対象項目名】００２１
【補正方法】変更
【補正の内容】
【００２１】
請求項１０の発明は請求項１から８のいずれか１項の発明において、広角端で無限遠物体の合焦状態において最終レンズ面から像面までの距離を空気に換算し、物体側の第1レンズ面から近軸像面までの距離をＬ、広角端と望遠端における全系の焦点距離をｆｗ、ｆｔとし、
【数５】
2001318315.tif 000005
とするとき
２．２２＜Ｌ／ｆＡ＜３．３６
なる条件式を満足することを特徴としている。
【手続補正１２】
【補正対象書類名】明細書
【補正対象項目名】００２２
【補正方法】変更
【補正の内容】
【００２２】
請求項１１の発明は請求項１から１０のいずれか１項の発明において、広角端から望遠端への変倍における前記第1群と第2群の移動量をＳ１、Ｓ２とするとき、
０．６＜Ｓ１／Ｓ２＜１．２
なる条件式を満足することを特徴としている。
【手続補正１３】
【補正対象書類名】明細書
【補正対象項目名】００２３
【補正方法】変更
【補正の内容】
【００２３】
請求項１２の発明は請求項１の発明において、前記第5群は、変倍に際し常時固定であることを特徴としている。
【手続補正１４】
【補正対象書類名】明細書
【補正対象項目名】００２４
【補正方法】変更
【補正の内容】
【００２４】
請求項１３の発明は請求項１から１２のいずれか１項の発明において、前記第3群を光軸方向にほぼ垂直に移動させて、前記ズームレンズが振動したときの被写体象の像面位置を補正することを特徴としている。
【手続補正１５】
【補正対象書類名】明細書
【補正対象項目名】００２５
【補正方法】変更
【補正の内容】
【００２５】
請求項１４の発明のズームレンズは、物体側より順に、正の屈折力の第１群、負の屈折力の第２群、開口絞り、正の屈折力の第3群、正の屈折力の第４群、そして負の屈折力の第5群より構成され、広角端から望遠端への変倍に際して、該第1群を物体側へ該第2群を像面側へ移動させ、変倍に伴う像面変動を該第4群を移動させて補正しており、フォーカスは該第4群を移動させて行ない、該3群に対して該開口絞りが光軸上最も離れる変倍位置と望遠端における第2群と該開口絞りの間隔を各々Ｌ２ｓ、Ｌ２ｔ、該変倍位置と望遠端における該開口絞りと第3群の間隔を各々Ｌｓ3、Ｌ３ｔ、広角端及び望遠端における全系の焦点距離をｆｗ、ｆｔ、第2群の焦点距離をｆ２、広角端で無限遠物体の合焦状態において最終レンズ面から像面までの距離を空気に換算し、物体側の第1レンズ面から近軸像面までの距離をＬ、変倍における該第1群と第2群の移動量をＳ１、Ｓ２、
【数６】
2001318315.tif 000006
としたとき
０．４＜（Ｌ２ｓ−Ｌ２ｔ）／（Ｌｓ３−Ｌ３ｔ）＜１．３
０．１９＜｜ｆ２／ｆＡ｜＜０．３０
２．２２＜Ｌ／ｆＡ＜３．３６
０．６＜Ｓ１／Ｓ２＜１．２
なる条件式を満足することを特徴としている。
【手続補正１６】
【補正対象書類名】明細書
【補正対象項目名】００２６
【補正方法】変更
【補正の内容】
【００２６】
請求項１５の発明は請求項１４の発明において、前記第２群は物体側に凸面を向けたメニスカス状の負レンズ、両レンズ面が凹面の負レンズ、両レンズ面が凸面の正レンズと負レンズとを接合した接合レンズより成り、
第２群中の正レンズと負レンズの材質のアッベ数の平均値を各々
νｐ，νｎ
第２群中の負レンズの材質の屈折率の平均値をＮｎとするとき
２０＜νｐ＜３５
３６＜νｎ＜６５
１．８＜Ｎｎ＜１．９６
を満足することを特徴としている。
【手続補正１７】
【補正対象書類名】明細書
【補正対象項目名】００２７
【補正方法】変更
【補正の内容】
【００２７】
請求項１６の発明は請求項１５の発明において、第２群の物体側から第ｉ番目のレンズ面の曲率半径をＲ２ｉとしたとき
０．６＜｜Ｒ２２／Ｒ２３｜＜０．８２
を満足することを特徴としている。
【手続補正１８】
【補正対象書類名】明細書
【補正対象項目名】００２８
【補正方法】変更
【補正の内容】
【００２８】
請求項１７の発明の光学機器は、請求項１から１６のいずれか1項記載のズームレンズを有することを特徴としている。
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】
【手続補正２５】
【補正対象書類名】明細書
【補正対象項目名】００３５
【補正方法】削除
【補正の内容】
【手続補正２６】
【補正対象書類名】明細書
【補正対象項目名】００５８
【補正方法】変更
【補正の内容】
【００５８】
条件式（１）の上限値を超えて開口絞りを第３群側に近づけると，第１群と開口絞りの距離が大きくなり，第１群の有効径の小型化を図るのが困難になってくる。逆に、下限値を越えて第２群に近づきすぎると、像面近傍のレンズ群の有効径が大きくなり、光学性能を良好に保つことが困難になってくるので好ましくない。
【手続補正２７】
【補正対象書類名】明細書
【補正対象項目名】００６３
【補正方法】変更
【補正の内容】
【００６３】
（ア−９）広角端で無限遠物体の合焦状態において最終レンズ面から像面までの距離を空気に換算し、物体側の第1レンズ面から近軸像面までの距離をＬ、広角端と望遠端における全系の焦点距離をｆｗ、ｆｔ、
【手続補正２８】
【補正対象書類名】明細書
【補正対象項目名】００６８
【補正方法】変更
【補正の内容】
【００６８】
（ア−１２）前記第3群を光軸方向にほぼ垂直に移動させて、前記ズームレンズが振動したときの被写体象の像面位置を補正することを特徴とすることである。
【手続補正２９】
【補正対象書類名】明細書
【補正対象項目名】００７２
【補正方法】変更
【補正の内容】
【００７２】
（ア−１４）第２群は少なくとも１つの非球面を有することである。非球面を配置することにより軸外の光学性能を向上することができる。また、第２群の屈折力を強くすることも可能になり、結果的に第２群の移動量を少なくすることができ、レンズ全長を短くすることができる。また、該第２群中の非球面は、曲率半径の小さい、負の第２１レンズの像面側の面、または負の第２２レンズの物体側の面、または正の第２３レンズの物体側の面に配置することにより、より効果的に収差を補正することが可能になる。特に軸外のフレアーを良好に補正できる。なお、非球面は、レンズの周辺部にいくにしたがって屈折力が弱くなる形状となることが望ましい。